(57)【要約】  接続管理システムは、ソケット間の相互接続を実現するためのケーブルの端部に設けられた相補型プラグを差し込むための複数のソケット（１，２）を含む。前記各ソケット（１，２）は入力接点（１ａ，２ａ）および出力接点（１ｂ、２ｂ）を備え、該接点は、それぞれ、該接点（１ａ，１ｂ，２ａ，２ｂ）の論理状態を個別に制御および監視するよう動作可能なコントローラに接続されており、ソケットの前記入力接点および出力接点（１ａ，１ｂ；２ａ，２ｂ）は、プラグＡ，Ｂを該ソケット（１，２）に差し込むと電気的に接続され、前記入力接点（１ａ，２ａ）および出力接点（１ｂ，２ｂ）の一方から前記入力接点（１ａ，２ａ）および出力接点（１ｂ，２ｂ）の他方に論理状態を送信する。前記入力端子（１ａ，２ａ）および出力端子（１ｂ，２ｂ）の前記他方における前記論理状態の変動の検出によってそのソケット内にプラグＡ，Ｂが存在することが示される。そして、前記ソケット（１，２）内にプラグＡ，Ｂが存在することを確認するために、ソケット（１，２）の入力接点および出力接点の一方に信号を供給し、前記入力接点および出力接点の他方において、当該信号の存在を監視する。
2009514471.tif 000002
【特許請求の範囲】
【請求項１】
複数のソケット（１，２）を含む接続管理システムであって、該ソケット（１，２）間の相互接続を実現するためのケーブル（３）の端部に設けられた相補型プラグ（Ａ，Ｂ）を差し込むための前記ソケット（１，２）はそれぞれ入力接点（１ａ，２ａ）および出力接点（１ｂ、２ｂ）を備え、該接点は、それぞれ、該接点の論理状態を個別に制御および監視するよう動作可能なコントローラに接続されており、ソケット（１；２）の前記入力接点および出力接点（１ａ，１ｂ；２ａ，２ｂ）は、プラグ（Ａ，Ｂ）を該ソケット（１，２）に差し込むと電気的に接続され、前記入力接点および出力接点（１ａ，１ｂ；２ａ，２ｂ）の一方から前記入力接点および出力接点（１ａ，１ｂ；２ａ，２ｂ）の他方に論理状態を送信し、前記入力接点および出力接点（１ａ，１ｂ；２ａ，２ｂ）の他方における前記論理状態の変動の検出によってそのソケット内にプラグ（Ａ，Ｂ）が存在することが示されることを特徴とする接続管理システム。
【請求項２】
各ソケット（１，２）を特定できるよう表示するために前記コントローラにより動作させることが可能な表示手段をさらに含む請求項１に記載の接続管理システム。
【請求項３】
前記各ケーブル（３）は、該ケーブルの両端のプラグ（Ａ，Ｂ）上の接点間を、その間の電気的接続を実現するために延在するトレーサワイヤを含むことで、該ケーブル（３）の一端側のプラグ（Ａ）が差し込まれた第１のソケット（１）の入力接点および出力接点（１ａ，１ｂ）の一方の論理状態が、該プラグ（Ａ）上の当該接点または各接点に、そして前記トレーサワイヤによって、前記ケーブル（３）の他端側の前記プラグ（Ｂ）上の当該接点または各接点に、そこから前記ケーブル（３）の他端側の前記プラグ（Ｂ）が差し込まれた第２のソケット（２）の入力接点および出力接点（２ａ，２ｂ）の少なくとも一つに、送信され、前記コントローラが、前記ケーブル（３）の前記他端側が接続されているソケット（２）を特定できるように表示するために前記第２のソケット（２）の前記入力接点および出力接点の前記少なくとも一方の論理状態の変動を検出することを特徴とする請求項１または請求項２に記載の接続管理システム。
【請求項４】
前記トレーサワイヤが前記ケーブル（３）の端部のプラグ（Ａ，Ｂ）間を接続する専用ワイヤであることを特徴とする請求項３に記載の接続管理システム。
【請求項５】
各ソケット（１，２）が改造されたソケットであり、各プラグ（Ａ，Ｂ）が各ソケットの接点を接続して接点間の短絡を生成する金属ケースを備える標準プラグであることを特徴とする先行する請求項のいずれかに記載の接続管理システム。
【請求項６】
各ソケットが改造されたモジュラーＲＪ４５ソケットであり、各プラグが金属缶を備える標準モジュラーＲＪ４５プラグであることを特徴とする請求項５に記載の接続管理システム。
【請求項７】
前記プラグは、四つのツイストペアからなる８本の芯線に加えて、検出信号を相互に送信するために金属缶を相互接続する追加芯線を備えるケーブルによって接続されていることを特徴とする請求項６に記載の接続管理システム。
【請求項８】
ソケット内のプラグの存在を検出し、ソケット（１，２）間の相互接続を検出する方法であって、先行する請求項のいずれかに記載の接続管理システムを用意するステップと、ソケット（１）の入力接点および出力接点（１ａ，１ｂ）の一方に信号を供給するステップと、該ソケット（１）内のプラグ（Ａ）の存在を確認するために前記入力接点および出力接点（１ａ，１ｂ）の他方における該信号の存在を監視するステップとを有する方法。
【請求項９】
一ソケット（１）内のプラグ（Ａ）の存在が確認されたときに、前記プラグ（１）が差し込まれた前記一ソケット（１）の入力接点および出力接点（１ａ，１ｂ）の一方にのみ信号を供給するステップと、それ以外のソケット（２）の入力接点および出力接点（２ａ，２ｂ）における前記信号を監視するステップをさらに有し、他のソケット（２）の前記接点（２ａ，２ｂ）の一方における前記信号の存在によって、一端側が前記一ソケット（１）に差し込まれた前記ケーブル（３）の他端側のプラグ（Ｂ）が前記他のソケット（２）に差し込まれていることが示されることを特徴とする請求項８に記載の方法。
【請求項１０】
各ソケット（１，２）の出力接点（１ｂ，２ｂ）がhigh条件に初期設定され、各ソケット（１，２）の入力接点（１ａ，２ａ）がlowに保持されて、各入力接点（１ａ，２ａ）の状態における、前記出力接点（１ｂ，２ｂ）に設定されたhigh条件の存在を継続して監視することを特徴とする請求項９に記載の方法。
【請求項１１】
ソケット（１，２）の接点（１ａ，１ｂ；２ａ，２ｂ）の一方の状態の変動を検出したときに、前記コントローラが、前記ソケット（１，２）の出力接点（１ｂ，２ｂ）をlow条件に設定し、該特定されたソケット（１，２）の入力接点（１ａ，２ａ）の状態を読み取ることによって、検出された接続が、ケーブル（３）のシステムに差し込まれている最初の端部（Ａ）か、該ケーブルの２番目の端部（Ｂ）かを確認するステップをさらに有し、前記入力接点にlow条件を検出した場合には、差し込まれるのが前記ケーブルの最初の端部（Ａ）であることを示し、前記入力接点にhigh条件を検出した場合には、差し込まれるのが前記ケーブルの２番目の端部（Ｂ）であることを示すことを特徴とする請求項１０に記載の方法。
【請求項１２】
ケーブルの２番目の端部（Ｂ）が差し込まれたことを検出したときに、前記ケーブルの特定された２番目の端部（Ｂ）を強制的にhigh条件とするとともにすべての既知の最初の端部（Ａ）をlow条件に設定することによって最初の端部（Ａ）の位置を特定するステップをさらに有し、前記最初の端部のうちの一つにおいてlow条件を検出した場合には、それが前記特定された２番目の端部（Ｂ）に接続されていることを示すことを特徴とする請求項１１に記載の方法。
【請求項１３】
以前に検出された接続がすべて依然として有効であることを確認するために、少なくとも定期的に、すべてのソケット（１，２）をスキャンするステップをさらに有する請求項１１または請求項１２に記載の方法。
【請求項１４】
以前に検出された接続で、もはや有効でないものが検出された場合に、その接続の記録された他端部（１，２）をチェックしてプラグ（Ａ，Ｂ）が当該ソケットにまだ差し込まれているかを確認し、そうであることが確認された場合に、前記他端部を最初の端部として記録することを特徴とする請求項１３に記載の方法。
【請求項１５】
各ソケット（１，２）の入力接点および出力接点（１ａ，１ｂ；２ａ，２ｂ）間の連続性をチェックすることによって既にプラグが差し込まれているソケット（１，２）をすべて特定できるように表示するために、前記コントローラの初期化時に全ソケット（１，２）のスキャンを実行するステップをさらに有する請求項８ないし１４のいずれかに記載の方法。
【請求項１６】
前記初期化時のスキャンによって既にプラグ（Ａ，Ｂ）が差し込まれていると特定された各ソケット（１，２）をチェックして、それに接続されたケーブル（３）がどこで他のソケット（１，２）にも接続されているかを特定し、該ソケットが接続されている他のソケットがあれば、そのソケットを記録するステップをさらに有する請求項１５に記載の方法。
【請求項１７】
複数のケーブル（３）を用いて複数のソケット（１，２）を相互接続するための接続パターンをユーザに対して特定できるように表示する方法であって、各ソケットを特定できるように表示するために前記コントローラにより動作させることが可能な表示手段をさらに有する請求項１ないし７のいずれかに記載の接続管理システムを用意するステップと、該コントローラを所望の接続パターンでプログラミングするステップと、該コントローラを起動するステップとを含み、前記コントローラは、ユーザがケーブル（３）のプラグ（１，２）を差し込むべきソケット（１，２）に対応する表示手段をオンにすることによってソケットを接続すべき順序を明らかにするとともに、前記ソケット（１，２）における信号を監視して前記ユーザが前記ソケット（１，２）を正しく相互接続したことを確認することを特徴とする方法
【請求項１８】
前記コントローラは、一度に一つのソケットを特定できるように表示し、そのそれぞれの場合において、ケーブル（３）の一端部（Ａ）を差し込むべきソケット（１）を特定できるように表示した直後に、その同じケーブル（３）の他端部（Ｂ）が差し込まれるべきソケット（２）を特定できるように表示することを特徴とする請求項１７に記載の方法。
【請求項１９】
前記コントローラは、ユーザがケーブル（３）でその間を相互接続する一対のソケット（１，２）を同時に特定できるように表示することを特徴とする請求項１７に記載の方法。
【発明の詳細な説明】
【技術分野】
【０００１】
本発明は、ソケットのアレイ内での、特に、通信ネットワークのための通信室で用いられるようなパッチパネル内での、相互接続を監視し記録するシステムに関する。
【発明の開示】
【発明が解決しようとする課題】
【０００２】
各パッチパネル上の各出力ポートおよび各入力ポートに多数本の電線を介して接続されている集中型分析器を用いる図３に例示されているようなインテリジェントパッチングシステムが知られている。分析器は、ポートごとに出力を交互にhighにしてはlowにする切り替えを行う。分析器は、ポートをhighに切り替えると、他にhighのポートがあるかどうかをチェックする。他にhighのポートがある場合には、接続が検出されたことになる。他にhighのポートがない場合には、接続が存在しないことになる。しかし、このシステムでは、パッチコードの存在を確認する手段が遠端部における検出だけなので、コードの両端が布置されていなければ分析器がそのコードを認識することはできないという欠点がある。
【課題を解決するための手段】
【０００３】
本発明にしたがって複数のソケットを含む接続管理システムが提供される。該ソケットは、該ソケット間の相互接続を実現するためのケーブルの端部に設けられた相補型プラグを差し込むためのものであって、それぞれ入力接点および出力接点を備え、該入力接点および出力接点がそれぞれ個別に当該接点の論理状態を制御および監視するよう動作可能なコントローラに接続されており、ソケットにプラグが差し込まれるとそのソケットの入力接点および出力接点が電気的に接続されて、当該入力接点および出力接点の一方から当該入力接点および出力接点の他方に論理状態を送信し、当該入力接点および出力接点の他方における前記論理状態の変動の検出によってそのソケット内にプラグが存在することが示される。
【０００４】
前記システムは、各ソケットを特定できるように表示するために前記コントローラによって動作させることが可能な表示手段をさらに含むのが好ましい。さらなる展開において、前記各ケーブルは、該ケーブルの両端のプラグ上の接点間を、その間の電気的接続を実現するために延在するトレーサワイヤを含むことで、該ケーブルの一端側のプラグが差し込まれたソケットの入力接点および出力接点の一方の論理状態が、該トレーサワイヤによって、当該ケーブルの他端側のプラグが差し込まれたソケットの入力接点および出力接点の一方に送信され、前記コントローラが、前記ケーブルの他端側が接続されているソケットを特定できるように表示するために前記入力接点および出力接点の一方の論理状態の変動を検出する。
【発明を実施するための最良の形態】
【０００５】
好ましい実施形態において、ソケットの入力接点および出力接点は、該ソケットの内部に配置されており、特に、ソケットの内側を囲んで延在するシールド缶を、互いに電気的に絶縁された二つの部分に分離させることにより形成されている。
【０００６】
本発明は、ソケット内のプラグの存在を検出し、ソケット間の相互接続を検出する方法であって、本発明による接続管理システムを用意するステップと、ソケットの入力接点および出力接点の一方に信号を供給するステップと、該ソケット内のプラグの存在を確認するために前記入力接点および出力接点の他方における該信号の存在を監視するステップとを有する方法をさらに提供する。
【０００７】
本発明は、好ましくは、一ソケット内のプラグの存在が確認されると、前記プラグが差し込まれたソケットの入力接点および出力接点の一方（好ましくは出力接点の方）にのみ信号を供給するステップと、それ以外のソケットの入力接点および出力接点における前記信号を監視するステップをさらに含み、他のソケットの前記接点の一方における前記信号の存在が、一端側が前記一ソケットに差し込まれた前記ケーブルの他端側のプラグが前記他のソケットに差し込まれていることを示すものとする。
【０００８】
また、さらに、本発明は、好ましくは、複数のケーブルを用いて複数のソケットを相互接続する接続パターンをユーザに対して特定できるように表示する方法であって、各ソケットを特定できるように表示するために前記コントローラによって動作させることが可能な表示手段をさらに有する本発明による接続管理システムを用意するステップと、該コントローラを所望の接続パターンでプログラミングするステップと、該コントローラを起動するステップとを含み、前記コントローラは、ユーザがケーブルのプラグを差し込むべきソケットに対応する表示手段をオンにすることによってソケットを接続すべき順序を明らかにするとともに、前記ソケットにおける信号を監視して前記ユーザが前記ソケットを正しく相互接続したことを確認することを特徴とする方法を提供する。
【０００９】
本発明は、構造化されたケーブル配線系に対するパッチコードの挿脱を検出するために、改造されたモジュラーソケットおよびモジュラープラグ、たとえば、改造されたシールド付ＲＪ４５ジャックおよび標準相補型ＲＪ４５プラグを、そして、一端がソケットに差し込まれたことが検出されたケーブルの他端の位置を特定するために、シールド付パッチコードのドレイン線を、利用するのが好ましい。プラグおよびソケットは、たとえば、光ファイバ接続システムなどのような他の形態をとることもできる。さらに、シールド付モジュラープラグおよびケーブル中に９番目の芯線を追加したシールドなしのパッチケーブルを、ケーブルの遠端部を特定するための追跡要素として用いることもできる。
【実施例】
【００１０】
本発明をよりよく理解できるように、その実施形態を添付の図面を参照しつつ例を挙げて説明する。
【００１１】
本発明は、構造化されたケーブル配線系に対するパッチコード３等の挿脱を検出するために、改造されたモジュラージャックおよびモジュラープラグを用いるものであり、図１および図２に示すように、特に、改造されたＲＪ４５ジャックＡ、Ｂおよび標準ソケット１、２を、そして、一端側のコード（Ａ）挿入部に対して遠い端部（Ｂ）の位置を特定するためにシールド付パッチコードのドレイン線を、用いるものであるが、専らそれらだけしか用いられないわけではない。これは、同様に、シールド付モジュラープラグおよびケーブル中に専用第９芯線を含むシールドなしのパッチケーブル、たとえば、標準８芯型のカテゴリ５エンハンストまたはカテゴリ６のパッチケーブルに９番目の芯線を埋め込んだものを、追跡要素として使用することによって、達成することもできる。
【００１２】
前記ソケット１、２は、それぞれ、入力接点１ａ、２ａおよび出力接点１ｂ、２ｂを有し、それらの接点は、該接点の論理状態を個別に制御および監視するよう動作可能なコントローラに接続されている。図示せぬＬＥＤなどの表示手段が各ソケット１、２と対応づけられており、ソケットを特定できるように表示するために、コントローラによって動作可能となっている。
【００１３】
前記コード３の前記一端部Ａを前記ソケットに差し込むことによって、前記改造されたモジュラージャック缶は短絡し、二つの接点１ａ、１ｂが接続される。この短絡がパッチパネル内に設けられている検出回路によって検出される。この端部は、前記パッチコードのＡ端部であることを確認するため、検査される。
【００１４】
前記パッチコードの遠端部（Ｂ）がそのモジュラージャック２に差し込まれると、前記改造されたシールド缶も短絡し、二つの接点２ａ、２ｂが接続され、これも前記検出回路によって検出される。
【００１５】
前記コードが抜かれたこと（あるいは、前記コードが切断されたこと）が任意の時点で検出できるように、Ａ端部「設定（Ｓｅｔ）」条件が論理レベル１に保持される。これは、Ａ端部「検出（Ｄｅｔｅｃｔ）」回路上で検出される。Ｂ端部「設定」条件は、論理レベル０に保持されている。しかし、Ｂ端部「検出」ピンは、前記ケーブル３を介して送信されているＡ端部「設定」条件の高い（high）論理レベルによって、論理レベル１に維持されている。Ｂ端部から前記コードを抜くと、Ｂ端部上の「検出」ピンのみその論理レベルが０に下がり、Ａ端部から前記コードを抜くと、Ａ端部およびＢ端部上の「検出」ピンの論理レベルが０に下がる。
【００１６】
特定のモジュラージャックポート上の論理レベルの確立および消去、および、パッチコードのＡ端部およびＢ端部間の接続の検出は、接続された電子回路により決定されるが、この電子回路は、集中型データベースにポートとパッチングの記録を書き込む中央コンピュータに取り付けられている。
【００１７】
本発明の備える特色は、コードの存在が、該コードの一端部が差し込まれるとすぐにわかることである。一端側モジュラープラグが差し込まれると完成する回路がパネル基盤コントローラによって検出される（ここで、競合技術が集中型分析器を備えるものであるのに対し、本発明が分散型であることに注目されたい）。このことは、コードの他端部が差し込まれていない状態で生じている。他端部が差し込まれると、遠端ソケットから送られてくる信号を検出するためではなくコードの存在を検出するために用いられるモジュラージャック回路をつなぐことになる。
【００１８】
パッチコードのパッチングフレーム内における配置を判定する方法は、いくつかの既存のインフラストラクチャ管理システムにおいて課題とされている。しかし、課題を解決するための従来の手法は、本発明のものとは異なる手法のうちの一つを採用するものである。
【００１９】
解決手法の中には、一端側から照光すると他端側で発光するためその位置を判定できるパッチコード内の光トレーサを用いるものがある。この解決手段の欠点は、構成情報を保持するデータベースシステムとのインターフェースがないことである。
【００２０】
他の解決手法としては、パッチングフレーム中のどの２ポートが相互接続されているかを判定するためにパッチングフレームにコードを挿入するシーケンスを利用するものもある。一方のプラグが一端側を特定できるように表示し、他方の挿入されたプラグは、他端側を特定できるように表示する。このタイプの解決手段では、シーケンスから抜けると、データベースレコードが誤って記憶されることになり、これを修正するには長い時間がかかる。
【００２１】
また、パッチコードの端から端に設けた一本のトレーサワイヤを用いて分析器がパッチコードの遠端部を特定できるようにする解決手法もある。この解決手法は、分析器をデータベースに取り付けるのが容易であることも含め、上に列挙したすべての問題を解決するものであるように見えるが、この手法にも依然としていくつかの問題が存在する。パッチコードは両端をパッチパネル内に差し込まなければ、そのコードを特定できるように表示し位置を示すことはできない。また、このタイプの解決手法では、そのために用いるコードとして、ユーザは標準のコードを使用することができるので、この場合も、システムが混乱し、すべての重要なパッチングレコード（記録）を失うことになる。コードの位置を特定する前にコードの両端部を分析器回路によって検出しなければならないので、すべての装置に分析器回路を備える必要がある。本発明は、単一のプラグの差し込みを検出するものなので、簡単なバーコードを用いて非分析器検出装置をも管理することができる。
【００２２】
本発明は、各モジュラージャック位置における一対の接点と、コードの端から端まで伸びるトレースワイヤとを用いることで、遠端部の位置を判定することができる。パッチコードの端部の位置を判定する物理的メカニズムは、解決手法の重要な部分を構成するものではあるが、接続の位置を判定し、その接続を管理する方法も同様に重要である。一対の接点を各パッチ位置に含めることにすることで、パッチコードの一端部がいつ差し込まれたかを監視システムが決定することができ、その結果、遠端部の位置の決定が容易になる。
【００２３】
本発明は、一方の端部の接続を検出し、この情報をデータベースに記録する。将来任意の時点で、Ｂ端部がモジュラージャック位置に差し込まれて、この回路が完成されることがありうるが、そのとき、接続が記録される。もっとも、コードの遠端部は簡単なバーコードによって管理することができるので、このような接続は必要不可欠というわけではない。
【００２４】
システムのトポロジーは、監視対象ジャックポートごとの出力および入力接点からなる。接点の対はそれぞれ、該接点の状態を判定し、パッチコードのどちらの端部が差し込まれたかを処理し、各ポートの状態を通信するローカルの（パネル基盤）コントローラに接続されている。このパネルコントローラは、各モジュラージャックに対応する光学式表示器の制御も行う。これらの光学式表示器は、単色式であっても多色式であってもよく、状態が単安定であっても非安定であってもよい。パネルコントローラは、ＣＡＮ（Controller Area Network）バスを介してクロゼットコントローラと通信する。複数のパネルコントローラを一本のＣＡＮバスに取り付けることができる。大規模な設備は、それぞれ専用パネルコントローラが専用ＣＡＮバスに接続されたクロゼットコントローラを多数含むものとすることができる。クロゼットコントローラは、システムコントローラおよびデータベースと、ＬＡＮまたはＷＡＮ接続を介して接続されている。複数のクロゼットコントローラは、クロゼット間のパッチングが発生した場合には、共通の接地接続を使用する。
【００２５】
電源投入時には、出力接点はすべてhighの状態に設定されている。入力接点は、lowに保持され、その出力接点上のhighの状態を継続的に監視されている。前記接点のうちの一方で状態変化の判定がなされた場合には、パネルコントローラの論理回路は、それがコードの最初の差し込まれた端部（「Ａ」端部）か、コードの２番目の差し込まれた端部（「Ｂ」端部）かを判定する。
【００２６】
コードの２つの端部の間に差異はない。「Ａ」端部とは、コードの最初に差し込まれた方の端部のことをいい、「Ｂ」端部とは、コードの２番目に差し込まれた方の端部を指す。
【００２７】
パネルコントローラは、検出されたポートの出力接点を強制的にlowにして、入力接点を読み出す。読み出された値がlowであれば、パッチされたポートがパッチコードの「Ａ」端部を含むものであると判定される。このポート「Ａ」は、ローカルのクロゼットコントローラおよびシステムコントローラおよびデータベースに通信される。
【００２８】
「Ｂ」端部の位置の判定も同様に行われる。しかし、「Ｂ」端部の場合、対応する「Ａ」端部からhighの値が検出されるので、出力接点を強制的にlowにする作用はない。
【００２９】
パネルコントローラの処理能力のほとんどを消費するのは、「Ｂ」端部の検出に対応する「Ａ」端部の位置特定である。検出された「Ｂ」端部に対応する「Ａ」端部は、同じクロゼットコントローラ内に存在するかもしれず、あるいは、異なるクロゼットコントローラに接続したパネル内に存在するかもしれない。しかし、コードの「Ｂ」端部の位置を判定するプロセスは、それがどこにあるかとは無関係に、同一である。ただ、システムコントローラが一クロゼットコントローラから別のクロゼットコントローラへメッセージを中継することを含めることのみが、追加されるステップである。
【００３０】
「Ｂ」端部が見つかったときに「Ａ」端部の所在を特定するため、次のような論理が用いられる。
【００３１】
「Ｂ」端部が特定されると、それは強制的にhighにされる。それがひとたびhighレベルになると、同じクロゼットコントローラ内のすべての既知の「Ａ」端部は、数ミリ秒の間low論理レベルにパルス変調される。このような短い時間とするのは、すでに「Ａ」端部に接続されている「Ｂ」端部をいずれも接続解除されてしまうことのないよう保証するためである。「Ｂ」端部に接続されている「Ａ」端部は、「Ｂ」端部におけるhighレベルによって、highに保持される。このhighレベルが、パネルコントローラの一つにおいて特定され、クロゼットコントローラに通信される。「Ａ」端部が特定されると、それが正しいことを確認するためのチェックが行われる。このhighレベルがパネルコントローラによって検出されると、クロゼットコントローラに通信される。ポートの状態は、プロセスが「接続済み（connected）」状態に到達するまでは、その進行にしたがって、徐々に積み上げられる。この状態に達すると、「接続済み」メッセージがクロゼットコントローラに通信され、クロゼットコントローラはシステムコントローラにこの「接続済み」メッセージを通信する。
【００３２】
初期の「Ａ」端部および「Ｂ」端部が特定されると、これらは、パネルコントローラおよびクロゼットコントローラのステートレスモデルを保存するために、各コマンド中を通じて、パネルコントローラに通信される。
【００３３】
「Ａ」端部が同じクロゼットコントローラ中に「Ｂ」端部として特定できなかった場合には、システムコントローラに、他のすべてのクロゼットコントローラ中の「Ａ」端部に、lowにパルス変調されるよう指令するメッセージを送る。ほとんどのパッチコードは同じクロゼットコントローラシステムの中に含まれるポートを接続することになるので、これは副次的な動作である。
【００３４】
パネルコントローラ中に含まれる論理回路は、コードがパッチパネルポートから抜かれたときにどうすべきかを理解することもできる。「Ａ」端部が抜かれると、ポートは非接続に設定されて、対応する「Ｂ」端部（コードの「Ｂ」端部が差し込まれているとする）が、「Ａ」端部に格上げされる。「Ｂ」端部が抜かれると、ポートは非接続に設定される。
【００３５】
ユーザに対して特定の二つのポートにパッチを当てるよう指示するときに、ユーザの操作を管理するために、同様のプロセスがシステムコントローラに含まれている。ポートのそれぞれに対応付けされた視覚的表示器がシステムコントローラによって駆動され、オペレータを接続を要するポートに導く。要求された操作が完了しなかった場合にはシステムコントローラがそれを特定し、オペレータに、誤配線されたパッチコードを直すために必要な変更をさせる。あるいは、オペレータは、この要求を無視して、システムコントローラに、この新しいパッチ情報を受け入れさせることもできる。
【００３６】
システムは、パッチングフィールドの実際の構成に照らして、その内部データベースを検査するために、電源投入後または任意の時点で完全システムスキャンを行うことができる。仮の不確定レコードが生成されて、確認されると恒久的にデータベースに書き込まれる。
【００３７】
各クロゼットコントローラは、システムコントローラが個別にクロゼットコントローラと通信できるように固有のＩＰアドレスを備える。システムコントローラからクロゼットコントローラへの、そしてクロゼットコントローラからパネルコントローラへのメッセージは、宛先アドレス情報を含んでいる。
【００３８】
パネルコントローラは、電源投入後、ＣＡＮバスに追加されて個別の識別番号が付与されるので、クロゼットコントローラは各パネルコントローラに個別に通信することができる。
【００３９】
クロゼットコントローラは、接続されているすべてのパネルコントローラの持久記憶性のリストを維持しており、停電後の即時監視再開が確実に行われるようになっている。
【図面の簡単な説明】
【００４０】
【図１】本発明によるパッチ接続の模式図である。
【図２】本発明による改造されたジャックソケットの模式図である。
【図３】本発明のシステムを操作する分析器の模式図である。
【図４】本発明のシステムの一部を形成するコントローラの模式図である。
【図５】本発明のクロゼットコントローラの動作の基盤となる論理を示すフローチャートである。
【図６】本発明のスマートパッチパネルの動作の基盤となる論理を示すフローチャートである。
【図７】本発明のシステムコントローラの動作の基盤となる論理を示すフローチャートである。
【図１】
2009514471.tif 000003
【図２】
2009514471.tif 000004
【図３】
2009514471.tif 000005
【図４】
2009514471.tif 000006
【図５】
2009514471.tif 000007
【図６】
2009514471.tif 000008
【図７】
2009514471.tif 000009
【国際調査報告】
2009514471.tif 000010
2009514471.tif 000011